(57)【要約】【課題】後処理に関しての設定操作が容易となる技術を提供することを目的とする。【解決手段】実施形態の印刷設定装置は、入力部と、シートを束ねるための処理を行う道具を示すアイコンと、印刷後のシートの状態を示すプレビュー画像と、プレビュー画像上に１つまたは複数示される領域画像とを、同一の画面で表示する表示部と、入力部からの指定座標がアイコンの表示領域から領域画像の表示領域に移動するのを検出した場合、領域画像を、シートを束ねるための処理が行われた後の状態を示す画像に切り替える制御部と、を有する。【選択図】図６
2012084154.tif 000002
【特許請求の範囲】
【請求項１】
入力部と、
シートを束ねるための処理を行う道具を示すアイコンと、印刷後のシートの状態を示すプレビュー画像と、画像形成装置がシートを束ねるための処理を行う領域を示す領域画像であって前記プレビュー画像上に１つまたは複数示される領域画像とを、同一の画面で表示する表示部と、
前記表示部の表示領域内のうちでユーザの所定の操作によって指定された座標を前記入力部から取得し、前記アイコンの表示領域から前記領域画像の表示領域に前記指定座標が移動するのを検出した場合、該移動後の指定された領域画像を、前記処理が行われた後の状態を示す第１画像に切り替える制御部と、
を有する印刷設定装置。
【請求項２】
請求項１に記載の印刷設定装置において、
前記制御部は、さらに、前記指定された領域画像の位置と同じ位置に、前記画像形成装置が前記処理を印刷されたシート束に実行するように、印刷ジョブを設定することを特徴とする印刷設定装置。
【請求項３】
請求項１に記載の印刷設定装置において、
前記制御部は、さらに、印刷後のシート束の開き方向が、前記指定された領域画像に対応した方向となるように、印刷ジョブを設定することを特徴とする印刷設定装置。
【請求項４】
請求項３に記載の印刷設定装置において、
前記制御部は、前記シート束の最初のページが前記プレビュー画像として前記表示部に表示されているときのみ、前記開き方向の設定を行うことを特徴とする印刷設定装置。
【請求項５】
請求項４に記載の印刷設定装置において、
前記制御部は、前記最初のページで前記開き方向の設定を行った後、プレビュー画像として他のページが前記表示部に表示されている場合、前記設定された開き方向に対応する領域画像のみが表示されるように制御することを特徴とする印刷設定装置。
【請求項６】
請求項１に記載の印刷設定装置において、
前記制御部は、さらに、前記指定された領域画像を前記第１画像に切り替えた後に、プレビュー画像として現在表示されているページが他のページに変更される場合でも、前記第１画像に切り替わった表示を維持するように前記表示部を制御することを特徴とする印刷設定装置。
【請求項７】
入力部と、
シートを束ねるための処理を行う道具を示すアイコンと、印刷後のシートの状態を示すプレビュー画像と、シートを束ねるための処理を行う領域を示す領域画像であって前記プレビュー画像上に１つまたは複数示される領域画像とを、同一の画面で表示する表示部と、
前記表示部の表示領域内のうちでユーザの所定の操作によって指定された座標を前記入力部から取得し、前記アイコンの表示領域から前記領域画像の表示領域に前記指定座標が移動するのを検出した場合、該移動後の指定された領域画像を、前記処理が行われた後の状態を示す第１画像に切り替える制御部と、
搬送される複数のシートに対し、像を形成する印刷部と、
前記印刷部によって像が形成されたシート束に対し、前記制御部によって前記第１画像に切り替えられた位置と同じ位置に前記処理を実行する後処理部と、
を有する画像形成装置。
【請求項８】
シートを束ねるための処理を行う道具を示すアイコンと、印刷後のシートの状態を示すプレビュー画像と、画像形成装置がシートを束ねるための処理を行う領域を示す領域画像であって前記プレビュー画像上に１つまたは複数示される領域画像とを、同一の画面で表示し、
前記表示領域内のうちでユーザの所定の操作によって指定された座標を入力部から取得し、前記アイコンの表示領域から前記領域画像の表示領域に前記指定座標が移動するのを検出した場合、該移動後の指定された領域画像を、前記処理が行われた後の状態を示す第１画像に切り替える
印刷設定装置の印刷設定方法。
【発明の詳細な説明】
【技術分野】
【０００１】
この明細書に記載の実施形態は、印刷を行うときに実施される画像形成装置の設定技術に関する。
【背景技術】
【０００２】
従来、印刷時にステイプルやホールパンチ（以下、必要に応じて後処理と称す）の設定を行う場合、プリンタドライバが提供する設定画面や画像形成装置のコントロールパネルによって表示される設定画面が用いられる。ユーザは、該当する階層まで画面を遷移させ、後処理を有効にするボタンを押し、シート上のいずれの位置に後処理を行うかの選択ボタンを押すことで設定を行う。
【発明の概要】
【発明が解決しようとする課題】
【０００３】
従来のシステムでは、後処理の設定を行うまで複数回ボタンを押す必要があり、且つ、設定後には設定変更ができないという問題がある。この問題を解決するために階層を設けたとしても操作する階層が深くなり、後処理の設定をするまでボタン操作回数が増えてしまうという問題がある。
【０００４】
さらに、ユーザは後処理の設定がいずれの階層に属するのかを記憶しておく必要があり、記憶していない場合、後処理の設定を行う際は後処理の設定画面を探すこととなる。
また従来の設定画面を用いる場合、ボタン操作によって後処理の設定を行うこととなるが、この操作は日常的に後処理を行わないユーザにとっては理解するのが困難である。
【０００５】
実施形態は上述した問題点を解決するためになされたものであり、後処理に関しての設定操作が容易となる技術を提供することを目的とする。
【課題を解決するための手段】
【０００６】
本実施形態の印刷設定装置は、入力部と、シートを束ねるための処理を行う道具を示すアイコンと、印刷後のシートの状態を示すプレビュー画像と、画像形成装置がシートを束ねるための処理を行う領域を示す領域画像であってプレビュー画像上に１つまたは複数示される領域画像とを、同一の画面で表示する表示部と、表示部の表示領域内のうちでユーザの所定の操作によって指定された座標を入力部から取得し、アイコンの表示領域から領域画像の表示領域に指定座標が移動するのを検出した場合、移動後の指定された領域画像を、シートを束ねるための処理が行われた後の状態を示す第１画像に切り替える制御部と、を有する。
【図面の簡単な説明】
【０００７】
【図１】画像形成装置の構成例を示す図である。
【図２】画像処理装置のブロック図である。
【図３】画像形成装置の動作例を示すフローチャートである。
【図４】実施形態のインターフェイス部での表示例を示す図である。
【図５】実施形態の後処理設定時の動作例を示すフローチャートである。
【図６】実施形態の設定操作の一例を示す図である。
【図７】実施形態の設定操作後の一例を示す図である。
【図８】最初のページで後処理の位置が設定された後、他のページでの後処理可能な領域を示す図である。
【図９】ＰＣ、タブレットＰＣを印刷設定装置とした構成例を示す図である。
【発明を実施するための形態】
【０００８】
本実施形態では、ステイプルやホールパンチのアイコンを、適用したい領域まで持っていくことで後処理の設定を行うことができるユーザインターフェイスを提供する。本実施形態で説明するユーザインターフェイスは、ユーザにとっては直感的に分かりやすく、また少ない操作回数でステイプルやホールパンチの設定を行うことができる。
【０００９】
以下、図面を参照しつつ本実施形態の態様について説明する。
【００１０】
図１に、本実施形態の画像形成装置のハードウェア構成の一例を示す。画像形成装置１００は、外部情報入力部１０、シート格納部２０、印刷部３０、インターフェイス部４０、制御ボード５０、後処理装置６０、読み取り部７０を有する。
【００１１】
外部情報入力部１０は、パーソナルコンピュータ（以下、ＰＣと称す）などの外部装置で作成される印刷データを受信するユニットであり、ネットワークインターフェイスカードを含む構成である。シート格納部２０は、シートを格納し、また画像形成装置１００の本体部に格納されたシートを搬送するユニットであり、ピックアップローラやトレイを含む構成である。
【００１２】
印刷部３０は、シート格納部２０から搬送されるシートに、Ｃ（シアン）、Ｍ（マゼンタ）、Ｙ（イエロー）、Ｋ（ブラック）の各色の像を形成するユニットである。印刷部３０は、外部情報入力部１０から入力される印刷対象データや読み取り部７０で読み取られた原稿の画像データの像をシートに形成する。印刷部３０は、感光体ドラムや帯電ローラ等によって構成されるプロセスユニットを、色ごとに含む構成である。
【００１３】
インターフェイス部４０は、ユーザに画像形成装置１００の状態やジョブの進捗状況を表示し、またユーザからの指示や設定を取得するコントロールパネルである。インターフェイス部４０は、表示部として液晶パネルが用いられ、また入力部としてタッチセンサを搭載しているタッチパネル形式の入力装置が用いられる。
【００１４】
制御ボード５０は、画像形成装置１００内の各ハードウェアを統括制御するボードである。また後処理装置６０は、ユーザの設定に基づき、像が形成されたシートの束に対して、ステイプルで束ねる処理（ステイプル処理）や、複数シートに対し同じ位置にホールを設ける処理（ホールパンチ処理）を実行したりする装置である。後処理装置６０は、少なくともステイプル装置、パンチャー装置を含む構成である。
【００１５】
読み取り部７０は、透過トレイ上に配置されるシートに描かれている像をスキャンし、画像データに変換するユニットである。読み取り部７０は、印刷対象のシートを搭載する透過トレイ、発光装置やＣＣＤイメージセンサ（Charge Coupled Device Image Sensor）を少なくとも含む構成とし、図１に示すように自動給紙装置を含む構成であってもよい。
【００１６】
ここで図２を参照しつつ、制御ボード５０の構成について説明する。制御ボード５０は、記憶装置５１、プロセッサ５２、演算Ｉ／Ｏ部５３を含む構成である。記憶装置５１は各種データやプログラムを記憶する装置であり、例えば、ＲＡＭ（Random Access Memory）、ＲＯＭ（Read Only Memory）、ＤＲＡＭ（Dynamic Random Access Memory）、ＳＲＡＭ（Static Random Access Memory）、ＶＲＡＭ（Video RAM）、ハードディスクドライブ等から構成される。プロセッサ５２は、記憶装置５１に記憶されているプログラムを演算実行することで、画像形成装置１００内の各ハードウェアを制御する演算処理装置である。プロセッサ５２は、たとえばＣＰＵ（Central Processing Unit）、ＭＰＵ（Micro Processing Unit）である。
【００１７】
演算Ｉ／Ｏ部５３は、画像形成装置１００内の各ハードウェア間のデータ通信を制御するデータバスであり、プロセッサ５２からの制御信号やデータは、演算Ｉ／Ｏ部５３を経由して各ハードウェアに送信される。
【００１８】
図３は、画像形成装置１００の動作例を示すフローチャートである。外部情報入力部１０は、外部装置から印刷対象の画像データを含んだ印刷ジョブ情報を取得する。取得される当該画像データは、プロセッサ５１の制御により演算Ｉ／Ｏ部５３を経由して記憶装置５１に記憶される（ＡＣＴ１）。尚、画像データは読み取り部７０でシートからスキャンされたデータでもよい。
【００１９】
次にインターフェイス部４０は、ユーザから印刷設定の情報（印刷部数、モノクロ／カラーの選択、ステイプルやホールパンチの指定、等）を受け付ける（ＡＣＴ２）。このＡＣＴ２の動作の一例については後に詳説する。
【００２０】
ユーザからの印刷設定の情報を取得した後、シート格納部２０は格納されているシートを本体部まで搬送し（ＡＣＴ３）、印刷部３０は、搬送されるシート上にＡＣＴ１で読み込まれた画像データの像を形成する（ＡＣＴ４）。次に当該印刷ジョブについてステイプルやホールパンチの設定がある場合、後処理装置６０は、印刷されたシート束に対してステイプルやホールパンチの後処理を行う（ＡＣＴ５）。その後、シートが排出される（ＡＣＴ６）。
【００２１】
次に、ＡＣＴ２でステイプルやホールパンチの設定を行うときの動作について説明する。図４はインターフェイス部４０によって表示される後処理に関しての設定画面の一例である。図４に示すように、インターフェイス部４０は、ホールパンチ表示領域Ｒ１、ステイプル表示領域Ｒ２、印刷プレビュー領域Ｒ３、画像形成装置１００が後処理を行うことができる範囲を示す領域Ｒ４、読み込み画像表示領域Ｒ５の各領域に画像を配置し、１つの画面上に各画像を表示する。図４に示される表示用の画像や表示位置の座標情報は記憶装置５１に事前に記憶されておいる。またインターフェイス部４０上の表示は、プロセッサ５２が所定の描画プログラムや設定プログラムを演算実行することで制御される。
【００２２】
表示の初期状態では、ホールパンチ表示領域Ｒ１にはパンチャー器を描画したアイコンＯＢＪ１が配置され、ステイプル表示領域Ｒ２にはステイプル器を描画したアイコンＯＢＪ２が配置される。印刷プレビュー領域Ｒ３には、印刷後のシートの状態が表示される。
【００２３】
領域Ｒ４には、印刷プレビュー領域Ｒ３上に配置されており、ステイプル処理、ホールパンチ処理を画像形成装置１００が行うことができる領域を示す画像が表示される。図４の例では領域Ｒ４を示す画像として矩形の図形が表示されているが、円形や楕円形等、ユーザが識別できるものであればいずれの形状、模様でも構わない。画像形成装置１００は、シートの左端、左上端、上端、右端にステイプルやホールパンチを行うことができ、インターフェイス部４０は、これらの位置に対応した領域を領域Ｒ４とし、領域Ｒ４を示す矩形図形を表示する。また本実施形態では、複数の領域Ｒ４の全てを同時に表示しているが、指先やペン先が領域内に入った領域Ｒ４の矩形画像を表示し、その他の領域Ｒ４の矩形画像は非表示とする実装でもよい。尚、領域Ｒ４は１つであってもよい。
【００２４】
読み込み画像表示領域Ｒ５は、印刷対象の画像データをページごとに一覧表示する領域である。読み込み画像表示領域Ｒ５に表示されるページのうち、任意のページがタッチされ（以下、このユーザの操作を必要に応じて「選択」と称する）、当該ページが印刷プレビュー領域Ｒ３まで運ばれタッチパネル上から指先が離れるとき（以下、このユーザの操作を「リリース」と称する）、印刷プレビュー領域Ｒ３には、当該選択されたページが表示される。
【００２５】
また、プリント実行ボタンＢ１が押された場合、各設定が確定し、確定した印刷ジョブ情報に含まれる画像データや設定情報に基づき印刷実行される。
【００２６】
図５のフローチャートを参照しつつ、画像形成装置１００の後処理に関しての設定動作を説明する。図５の例では、ステイプルの設定について説明しているが、ホールパンチの設定も同様である。
【００２７】
プロセッサ５２は、インターフェイス部４０のタッチセンサが感知した位置（表示画面上でユーザがタッチした位置）を検出する（ＡＣＴ１１）。これは、ユーザがタッチした座標情報をプロセッサ５２がインターフェイス部４０から取得することで行われる。
プロセッサ５２は、タッチされた座標がステイプル表示領域Ｒ２内か否かを判断する（ＡＣＴ１２）。領域Ｒ２内である場合（ＡＣＴ１２、Ｙｅｓ）、プロセッサ５２は、アイコンＯＢＪ２が指先の動きと連動して動くように表示を制御する。
【００２８】
次にプロセッサ５２は、アイコンＯＢＪ２のリリース位置の検出を行う（ＡＣＴ１３）。この検出は、ユーザの指先がタッチパネルから離れた座標情報を、プロセッサ５２がインターフェイス部４０から取得することで行われる。
【００２９】
次にプロセッサ５２は、ステイプルが既に設定されているかを判定する（ＡＣＴ１４）。プロセッサ５２は、ここでは所定のフラグデータに値が設定されているか否かを判定する。
【００３０】
ステイプルが設定されていない場合（ＡＣＴ１４、Ｎｏ）、プロセッサ５２は、リリース位置が領域Ｒ４のいずれかの領域内であるか否かを判定する（ＡＣＴ１５）。リリース位置が領域Ｒ４内である場合（ＡＣＴ１５、Ｙｅｓ）、プロセッサ５２は、上記所定のフラグデータに所定値を設定するとともに、当該リリース先の領域Ｒ４に表示されている矩形図形を、ステイプル処理が行われた後の状態を示す画像に切り替える（ＡＣＴ１６）。その後、処理はＡＣＴ１１に戻る。
【００３１】
尚、ＡＣＴ１２の判定でステイプル表示領域Ｒ２以外の領域がタッチされている場合（ＡＣＴ１２、Ｎｏ）、プロセッサ５２は、プリント実行ボタンＢ１の表示領域が選択されたかを判定する（ＡＣＴ１８）。ここでプリント実行ボタンＢ１の領域が選択されている場合（ＡＣＴ１８、Ｙｅｓ）、プロセッサ５２は、ステイプルの設定情報（ステイプルの有無やステイプルの位置等の情報）を確定させ、現在の印刷ジョブ情報内に確定したステイプル設定情報を書き込む（ＡＣＴ１９）。設定処理はここで終了し、以降、図３のＡＣＴ３の処理が行われる。一方、タッチ位置がプリント実行ボタンＢ１の領域でない場合（ＡＣＴ１８、Ｎｏ）、処理はＡＣＴ１１に戻る。
【００３２】
また、ＡＣＴ１４の判定でステイプルが既に設定されていると判定される場合（ＡＣＴ１４、Ｙｅｓ）、当該ステイプル済みを示す画像を元の矩形図形に戻すとともに、上記所定のフラグデータを０クリアする（ＡＣＴ１７）。その後、ＡＣＴ１５が実行される。
【００３３】
図６に上記動作の画面例を示し、図７にＡＣＴ１６が行われた後の画面例を示す。図６に示すように、ユーザは例えばステイプル表示領域Ｒ２のアイコンＯＢＪ２を選択し、印刷プレビュー画像内の左端の領域Ｒ４にリリースする。リリース後、図７に示すように、当該領域Ｒ４の画像がステイプル処理後の状態の画像ＯＢＪ３に切り替わる。ここでの例は左端へのステイプル処理であるため、ステイプル後の金具の状態を模した棒状のアイコン２つがＯＢＪ３として表示されるが（図７参照）、左上端の領域Ｒ４にリリースされる場合は１つの棒状のアイコンが表示される。尚、ホールパンチの場合、左端、上端、右端の領域Ｒ４にアイコンＯＢＪ１（ホールパンチのアイコン）がリリースされる場合は、ホールパンチ後の状態を模した２つの円状のアイコンが表示され、左上端の領域にリリースされる場合は１つの円状のアイコンが表示される。
【００３４】
また本実施形態では、ステイプルの位置が設定される場合、同時にページの開き方向も設定される。例えばシート束の左端にステイプル設定が行われる場合、当然ページの開き方向は左開きとなり、上端にステイプル設定が行われる場合、当然ページの開き方向は上開きとなる。このことから、プロセッサ５２は、ステイプルの位置に対応した開き方向となるように像形成に関する設定を行う（印刷ジョブ情報内の該当データに、設定値を書き込む）。例えば左端や右端にステイプル設定が行われる場合、プロセッサ５２は、ステイプルされる側の余白が、表ページおよび裏ページともに大きくなるように設定する。また上端にステイプルの設定が行われる場合、プロセッサ５２は、ステイプルされる側の余白が表ページ、裏ページともに大きくなるように設定するとともに、裏ページは上下が逆転した像が形成されるように設定する。
【００３５】
また、途中のページでステイプルの位置が設定される場合、他のページを表示するときに、ページの向きや余白の大きさ等について不整合が生じる場合がある。この問題点を考慮し、シート束の開き方向については、最初のページが印刷プレビュー領域Ｒ３に表示されているときのみ設定可能とする実装も考えられる。
【００３６】
またこの実装の場合、最初のページでステイプル位置が設定されることでページの開き方向も設定されるが、以降のページでは、ステイプルの指定は、当該開き方向に対応した領域のみが表示され選択可能となる。図８を用いて説明する。最初のページで左端の領域Ｒ４が選択される場合、同時に開き方向は右側から左側にページがめくれるように設定される（開き方向を示すデータは一時的に記憶装置５１に記憶される）。ここで、以降のページで右端や上端にステイプルの位置が設定されると、余白の大きさや上下反転等について、データ上の矛盾やインターフェイス部４０の表示に不整合が生じる可能性がある。この不整合が生じないように、プロセッサ５２は、以降のページが印刷プレビュー領域Ｒ３に表示される際、開き方向に矛盾が生じないように、左端、左上端の領域Ｒ４のみを表示するように制御し、また左端、左上端以外は選択されないように制御する。このように最初のページで後処理の位置が設定され、その後他のページが印刷プレビュー領域Ｒ３に表示されるとき、プロセッサ５２は、開き方向を示すデータに対応する領域Ｒ４のみを表示し、選択可能とする。
【００３７】
また他の実装例として、本実施形態では、一度領域Ｒ４のいずれかにアイコンＯＢＪ２がリリースされ、アイコンＯＢＪ３が当該領域Ｒ４に表示された後は、全てのページの同じ位置にアイコンＯＢＪ３の表示が反映される。具体的には、印刷プレビュー領域Ｒ３に任意のページが表示され、当該ページでＡＣＴ１１からＡＣＴ１６までの処理が行われた後に、他のページが印刷プレビュー領域Ｒ３に表示されても、プロセッサ５２は、この既に指定されている領域Ｒ４にはアイコンＯＢＪ３の表示が維持されるように制御する。
【００３８】
本実施形態では、画像形成装置１００内のインターフェイス部４０、および制御ボード５０を含んだ構成を印刷設定装置として説明したが、図９に示すように、従前の画像形成装置１００ＡとＬＡＮ（Local Area Network）４００を介して接続されているＰＣ２００を印刷設定装置として適用させることもできる。すなわち、ＰＣ２００のＣＰＵ２０４、メモリ２０５、および表示部であるモニター２０１、入力部であるキーボード２０２やマウス２０３を用いて、上記説明と同じ動作を実現できる。またＣＰＵ、メモリ、タッチパネル形式のディスプレイを有するタブレットＰＣ３００にも当然適用可能である。本実施形態の態様を適用する場合、ユーザインターフェイスに関しては従来とは異なるものの、設定情報や印刷ジョブ情報等のデータ構成は従来と同様の電文形式を適用できる。よって、ＰＣ２００やタブレットＰＣ３００を印刷設定用のクライアント装置（印刷設定装置）とする場合であっても、送信される印刷ジョブ情報や設定情報は従前の形式であるため、従前の画像形成装置１００Ａをそのまま適用できる。尚、ＬＡＮ４００は有線、無線のいずれでも構わない。
【００３９】
本実施形態を適用することで、後処理を行う道具のアイコンを具体的に明示し、またプレビュー画像上に後処理可能な領域を明示し、且つ、アイコンの選択、リリース操作によって後処理の設定を行うことができるユーザインターフェイスを提供できる。これは、階層構造を持った従来設定よりも直感的にわかり易いステイプル、ホールパンチの設定環境を提供することができる。従来の設定画面は、１つの印刷設定ダイアログの上部に、「基本設定」、「フィニッシング」、「画質」等の複数のタブが一列で配置されており、タブを切り替えることでダイアログ内の大部分の表示領域が切り替わるレイアウトである。従来の設定画面を用いてユーザがステイプルの設定を行う場合、フィニッシング用のタブを押し、当該タブ内にあるステイプルやタッチパネルのチェックボックスを押す必要である。この操作は煩雑であり、且つ、ユーザはフィニッシングタブ内にステイプルの設定があることを覚えておく必要がある。一般的に印刷を行うときの設定ダイアログは、基本設定のタブ内の情報が初期に表示され、ステイプルの設定に関しては表示されていないため、ステイプルの利用頻度が高くない場合、都度ステイプル設定画面を探すという作業が発生する。本実施形態の態様を適用することで、印刷プレビューを表示するとともに、印刷プレビューを用いて直観的にわかり易い設定作業を行うことができる。
【００４０】
以上に詳述したように、この明細書に記載の技術によれば、後処理に関しての設定操作が容易となる。
【００４１】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００４２】
１０  外部情報入力部、２０  シート格納部、３０  印刷部、４０  インターフェイス部、５０  制御ボード、６０  後処理装置、７０  読み取り部、１００  画像形成装置。
【図１】
2012084154.tif 000003
【図２】
2012084154.tif 000004
【図３】
2012084154.tif 000005
【図４】
2012084154.tif 000006
【図５】
2012084154.tif 000007
【図６】
2012084154.tif 000008
【図７】
2012084154.tif 000009
【図８】
2012084154.tif 000010
【図９】
2012084154.tif 000011